(57)【要約】【課題】原子炉容器蓋の容器において、軽量化を図る。【解決手段】円板形状をなして原子炉容器蓋１３のフランジ部５２が固定される底板６１と、円筒形状をなして下端部にフランジ部５２が固定される胴部６２と、円板形状をなして胴部６２の上端部に固定される天板６３と、胴部６２及び天板６３の内側で原子炉容器蓋１３の蓋本体５１と複数のＣＲＤＭハウジング５６の一部を被覆する遮へい部材６４とを設ける。【選択図】図１
2016173325.tif 000002
【特許請求の範囲】
【請求項１】
半球形状をなして外周部にフランジ部を有すると共に球面部に複数のＣＲＤＭハウジングが設けられる原子炉容器蓋を収納して輸送または保管する容器であって、
円板形状をなして前記フランジ部が固定される底板と、
円筒形状をなして一端部に前記フランジ部が固定される胴部と、
円板形状をなして前記胴部の他端部に固定される天板と、
前記胴部及び前記天板の内側で前記原子炉容器蓋の球面外周部と前記複数のＣＲＤＭハウジングの少なくとも一部を被覆する遮へい部材と、
を有することを特徴とする原子炉容器蓋の容器。
【請求項２】
前記ＣＲＤＭハウジングは、本体ハウジングの上部に駆動軸ハウジングが連結されて構成され、前記遮へい部材は、内周用天板を有し、前記内周用天板は、前記駆動軸ハウジングが貫通して前記本体ハウジングの端部に係止する複数の貫通孔を有することを特徴とする請求項１に記載の原子炉容器蓋の容器。
【請求項３】
前記内周用天板における前記貫通孔の内面側に前記本体ハウジングの端部に接触してシールするシール部材が設けられることを特徴とする請求項２に記載の原子炉容器蓋の容器。
【請求項４】
前記内周用天板は、外周部が前記胴部に対して前記底板側に押圧支持されることを特徴とする請求項２または請求項３に記載の原子炉容器蓋の容器。
【請求項５】
前記遮へい部材は、円筒形状をなして一端部に前記フランジ部が固定される内筒と、前記内筒の他端部に支持される前記内周用天板とを有することを特徴とする請求項２から請求項４のいずれか一項に記載の原子炉容器蓋の容器。
【請求項６】
前記内筒は、前記内周用天板の外周上面部を支持する内周用天板支持部材が設けられることを特徴とする請求項５に記載の原子炉容器蓋の容器。
【請求項７】
前記内周用天板は、外周部が前記胴部に固定されることを特徴とする請求項２から請求項４のいずれか一項に記載の原子炉容器蓋の容器。
【請求項８】
前記遮へい部材は、前記複数のＣＲＤＭハウジングを個別に被覆する複数の円筒部材を有することを特徴とする請求項１から請求項７のいずれか一項に記載の原子炉容器蓋の容器。
【発明の詳細な説明】
【技術分野】
【０００１】
本発明は、原子炉容器本体の上部に取付けられた蓋を取外した後、この使用済の蓋を収納して搬送または保管する原子炉容器蓋の容器に関するものである。
【背景技術】
【０００２】
原子炉容器は、内部に炉内構造物を挿入することができるように、原子炉容器本体とその上部に装着される原子炉容器蓋により構成されており、原子炉容器本体に対して原子炉容器蓋が開閉可能となっている。この原子炉容器は、原子燃料を収容することから、高温、高圧に加えて中性子の照射も受ける厳しい環境で使用され、高い信頼性が要求される。そのため、長期間運転された原子力発電プラントでは、この高い信頼性を確保するために原子炉容器蓋を取り替える必要がある。
【０００３】
原子炉容器蓋を輸送する容器としては、例えば、下記特許文献１に記載されたものがある。この特許文献１に記載された輸送容器は、輸送容器底板と、輸送容器下部胴と、輸送容器上部胴と、輸送容器天板と、中間部防振板と、上部防振板と、これらを接続する複数の接続ボルトを有するものである。
【先行技術文献】
【特許文献】
【０００４】
【特許文献１】特開２０１３−１６４２８４号公報
【発明の概要】
【発明が解決しようとする課題】
【０００５】
ところで、使用済の原子炉容器蓋を輸送または保管する場合、放射線遮へいを考慮する必要がある。特に、この原子炉容器蓋は、内側に放射性物質が付着しており、適正に密封して遮へいしなければならない。また、原子炉容器蓋は、制御棒駆動装置における駆動軸を支持するハウジングが一体に設けられており、原子炉容器蓋だけでなくこのハウジングも密封して遮へいする必要がある。ところが、原子炉容器蓋などを遮へいするための容器は、所定の厚さを有する鋼板で製造する必要があり、容器の重量が増大し、クレーンなどによる搬送が困難となってしまう。
【０００６】
本発明は、上述した課題を解決するものであり、軽量化を図る原子炉容器蓋の容器を提供することを目的とする。
【課題を解決するための手段】
【０００７】
上記の目的を達成するための本発明の原子炉容器蓋の容器は、半球形状をなして外周部にフランジ部を有すると共に球面部に複数のＣＲＤＭハウジングが設けられる原子炉容器蓋を収納して輸送または保管する容器であって、円板形状をなして前記フランジ部が固定される底板と、円筒形状をなして一端部に前記フランジ部が固定される胴部と、円板形状をなして前記胴部の他端部に固定される天板と、前記胴部及び前記天板の内側で前記原子炉容器蓋の球面外周部と前記複数のＣＲＤＭハウジングの少なくとも一部を被覆する遮へい部材と、を有することを特徴とするものである。
【０００８】
従って、使用済の原子炉容器蓋は、フランジ部の下部に底板が固定されると共に、フランジ部の上部に胴部の一端部が固定され、胴部の他端部に天板が固定され、更に、胴部及び天板の内側で原子炉容器蓋の球面外周部と各ＣＲＤＭハウジングの少なくとも一部が遮へい部材により被覆される。そのため、放射線遮へい領域となる原子炉容器蓋の球面外周部と各ＣＲＤＭハウジングの少なくとも一部を遮へい部材により被覆するため、胴部や天板の板厚を薄くすることが可能となり、全体を軽量化することができる。
【０００９】
本発明の原子炉容器蓋の容器では、前記ＣＲＤＭハウジングは、本体ハウジングの上部に駆動軸ハウジングが連結されて構成され、前記遮へい部材は、内周用天板を有し、前記内周用天板は、前記駆動軸ハウジングが貫通して前記本体ハウジングの端部に係止する複数の貫通孔を有することを特徴としている。
【００１０】
従って、遮へい部材は、内周用天板の各貫通孔に駆動軸ハウジングが貫通し、本体ハウジングの端部に係止することで、放射線遮へい領域となる原子炉容器蓋の球面外周部と各本体ハウジングを適正に遮へいすることができる。
【００１１】
本発明の原子炉容器蓋の容器では、前記内周用天板における前記貫通孔の内面側に前記本体ハウジングの端部に接触してシールするシール部材が設けられることを特徴としている。
【００１２】
従って、内周用天板における貫通孔の内面と本体ハウジングの端部との間にシール部材を設けることで、放射線遮へい領域を適正に密閉して遮へいすることができる。
【００１３】
本発明の原子炉容器蓋の容器では、前記内周用天板は、外周部が前記胴部に対して前記底板側に押圧支持されることを特徴としている。
【００１４】
従って、内周用天板の外周部を胴部に対して底板側に押圧支持することで、内周用天板における貫通孔の内面と本体ハウジングの端部とを密着させることができ、放射線遮へい領域を適正に密閉することができる。
【００１５】
本発明の原子炉容器蓋の容器では、前記遮へい部材は、円筒形状をなして一端部に前記フランジ部が固定される内筒と、前記内筒の他端部に支持される前記内周用天板とを有することを特徴としている。
【００１６】
従って、内筒と内周用天板により放射線遮へい領域となる原子炉容器蓋の球面外周部と各本体ハウジングを適正に遮へいすることができ、遮へい部材を内筒と内周用天板とに分割して組付性を向上することができると共に、胴部と天板における全体の板厚を薄くすることができる。
【００１７】
本発明の原子炉容器蓋の容器では、前記内筒は、前記内周用天板の外周上面部を支持する内周用天板支持部材が設けられることを特徴としている。
【００１８】
従って、内筒の内周用天板支持部材が内周用天板の外周上面部を支持することで、内筒により内周用天板が脱落することなく適正に支持することができ、組付性を向上することができる。
【００１９】
本発明の原子炉容器蓋の容器では、前記内周用天板は、外周部が前記胴部に固定されることを特徴としている。
【００２０】
従って、内周用天板の外周部を胴部に固定することで、構造の簡素化と密封性を向上することができる。
【００２１】
本発明の原子炉容器蓋の容器では、前記遮へい部材は、前記複数のＣＲＤＭハウジングを個別に被覆する複数の円筒部材を有することを特徴としている。
【００２２】
従って、複数の円筒部材によりＣＲＤＭハウジングを個別に被覆することで、放射線遮へい効果を高めることができる。
【発明の効果】
【００２３】
本発明の原子炉容器蓋の容器によれば、胴部及び天板の内側で原子炉容器蓋の球面外周部と複数のＣＲＤＭハウジングの少なくとも一部を被覆する遮へい部材を設けるので、胴部や天板の板厚を薄くすることが可能となり、全体を軽量化することができる。
【図面の簡単な説明】
【００２４】
【図１】図１は、第１実施形態の原子炉容器蓋の容器を表す縦断面図である。
【図２】図２は、下部胴と原子炉容器蓋と底板との連結部を表す断面図である。
【図３】図３は、内筒と原子炉容器蓋との連結部を表す断面図である。
【図４】図４は、ＣＲＤＭハウジングと内周用天板とのシール部を表す断面図である。
【図５】図５は、内筒と内周用天板との連結部を表す平面図である。
【図６】図６は、内筒と内周用天板との連結部を表す断面図である。
【図７】図７は、加圧水型原子炉を表す縦断面図である。
【図８】図８は、第２実施形態の原子炉容器蓋の容器を表す縦断面図である。
【図９】図９は、第３実施形態の原子炉容器蓋の容器を表す縦断面図である。
【発明を実施するための形態】
【００２５】
以下に添付図面を参照して、本発明に係る原子炉容器蓋の容器の好適な実施形態を詳細に説明する。なお、この実施形態により本発明が限定されるものではなく、また、実施形態が複数ある場合には、各実施形態を組み合わせて構成するものも含むものである。
【００２６】
［第１実施形態］
原子力発電プラントは、図示しないが、原子炉格納容器内に配置される原子炉及び蒸気発生器と、蒸気タービン発電設備とを有している。本実施形態の原子炉は、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電する加圧水型原子炉（ＰＷＲ：Pressurized  Water  Reactor）である。
【００２７】
原子炉は、燃料の核分裂により一次冷却水を加熱し、蒸気発生器は、この高温高圧の一次冷却水と二次冷却水との間で熱交換し、高圧の蒸気を生成する。蒸気タービン発電設備は、この蒸気により蒸気タービンを駆動することで発電を行う。一方、蒸気タービンを駆動した蒸気は、復水器で冷却されて復水となり、蒸気発生器に戻される。
【００２８】
まず、原子炉について説明する。図７は、加圧水型原子炉を表す縦断面図である。
【００２９】
原子炉容器本体１２は、内部に炉心槽２１が配置されており、上部が原子炉容器本体１２の内壁面に支持されている。また、原子炉容器本体１２は、内部に上部炉心支持板２２が配置されており、上部炉心支持板２２は、上部が炉心槽２１の上部に支持されている。上部炉心支持板２２は、複数の炉心支持ロッド２３により上部炉心板２４が吊下げ支持されている。
【００３０】
炉心槽２１は、下方に下部炉心支持板２５が支持され、下部炉心支持板２５は、外周部が位置決め部材２６により原子炉容器本体１２の内壁面に位置決め支持されている。炉心槽２１は、下部に下部炉心板２７が支持されている。炉心２８は、炉心槽２１における上部炉心板２４と下部炉心板２７により区画された領域に多数の燃料集合体２９が配置されて構成されている。炉心２８は、内部に多数の制御棒３０が配置されており、この制御棒３０は、複数がまとめられて制御棒クラスタ３１を構成し、燃料集合体２９に挿入可能となっている。上部炉心支持板２２は、上部炉心支持板２２を貫通して上下に延出する多数の制御棒クラスタ案内管３２が固定されている。各制御棒クラスタ案内管３２は、下端部が上部炉心板２４に連結され、内部に制御棒クラスタ３１が挿通可能となっている。
【００３１】
原子炉容器蓋１３は、上部が半球形状をなし、上部に磁気式ジャッキの制御棒駆動装置３３が配置されている。複数の制御棒クラスタ案内管３２内には、制御棒駆動装置３３から下方に延出され原子炉容器蓋１３の管台を通った制御棒クラスタ駆動軸３４が挿通されている。制御棒クラスタ駆動軸３４は、制御棒駆動装置３３により上下方向に移動可能であり、制御棒クラスタ案内管３２内を通って制御棒クラスタ３１に連結されている。制御棒駆動装置３３は、制御棒クラスタ３１の各制御棒３０を炉心２８に対して抜き差しすることで、原子炉出力を制御する。
【００３２】
原子炉容器本体１２は、下鏡１６を貫通する多数の計装管台３５が設けられ、この各計装管台３５は、炉内側の上端部に炉内計装案内管３６が連結される一方、炉外側の下端部にコンジットチューブ３７が連結されており、各炉内計装案内管３６に複数の連接板３８が取付けられている。シンブルチューブ３９は、コンジットチューブ３７内から計装管台３５及び炉内計装案内管３６内を通し、下部炉心支持板２５及び下部炉心板２７を貫通して炉心２８（燃料集合体２９）まで挿通されている。
【００３３】
原子炉容器１１は、炉心２８の上方に上部プレナム４０が設けられ、下方に下部プレナム４１が設けられ、その間にダウンカマー部４２が形成されている。
【００３４】
このように構成された原子炉容器１１は、高い信頼性を確保する必要から、長期間使用されると、原子炉容器蓋１３を取り替える必要がある。本実施形態の原子炉容器蓋の容器は、原子炉容器蓋１３を取り替えるとき、放射線の高い使用済の原子炉容器蓋１３を遮へいして輸送または保管するものである。
【００３５】
図１は、第１実施形態の原子炉容器蓋の容器を表す縦断面図、図２は、下部胴と原子炉容器蓋と底板との連結部を表す断面図、図３は、内筒と原子炉容器蓋との連結部を表す断面図、図４は、ＣＲＤＭハウジングと内周用天板とのシール部を表す断面図、図５は、内筒と内周用天板との連結部を表す平面図、図６は、内筒と内周用天板との連結部を表す断面図である。
【００３６】
図１に示すように、原子炉容器蓋１３は、半球形状をなす蓋本体（球面部）５１と、蓋本体５１の外周部に設けられるフランジ部５２と、蓋本体５１の外面部に設けられる複数の吊り金具５３及び接続金具５４とを有している。そして、フランジ部５２に原子炉容器蓋１３を原子炉容器本体１２に固定するためのスタッドボルト（図示略）が貫通する取付孔５５が周方向に所定間隔で複数形成されている。また、原子炉容器蓋１３は、蓋本体５１に制御棒駆動装置３３を構成する複数のＣＲＤＭハウジング５６が固定されている。ＣＲＤＭハウジング５６は、本体ハウジング５７と、本体ハウジング５７の上端部に固定される駆動軸ハウジング５８とから構成されている。本体ハウジング５７は、制御棒クラスタ駆動軸３４（図７参照）を上下に移動する駆動部を収容するものであり、駆動軸ハウジング５８は、制御棒クラスタ駆動軸３４を移動自在に支持するものである。そして、原子炉容器蓋１３は、蓋本体５１に鉛直方向に沿って複数の制御棒駆動装置用管台５９が固定されており、各制御棒駆動装置用管台５９の上端部に本体ハウジング５７の下端部が連結されている。
【００３７】
第１実施形態の原子炉容器蓋の容器（以下、容器）６０は、蓋本体５１に複数のＣＲＤＭハウジング５６が固定された原子炉容器蓋１３を遮へいして収容するものである。この容器６０は、底板６１と、胴部６２と、天板６３と、遮へい部材６４とを有している。
【００３８】
底板６１は、円板形状をなし、外径が原子炉容器蓋１３の外径と同寸法に設定されている。底板６１は、図１及び図２に示すように、上面部に原子炉容器蓋１３が載置され、フランジ部５２の下面が密着して固定可能となっている。そのため、底板６１は、上面外周部に周方向に沿って所定間隔を空けてねじ穴７１が形成されている。また、底板６１は、上面部に複数の吊り金具７２が固定されると共に、下面部に複数の反転用金具７３が固定されている。
【００３９】
胴部６２は、円筒形状をなし、内径（外径）が原子炉容器蓋１３における蓋本体５１の外径より大きい寸法で、フランジ部５２の外径より小さい寸法に設定されている。胴部６２は、上胴部８１と下胴部８２とから構成され、上胴部８１と下胴部８２は、外径及び内径が同寸法に設定されている。上胴部８１は、円筒形状をなす上胴本体８３の上端部に内周側に屈曲するリング形状をなす取付フランジ部８４が設けられる一方、下端部に外周側に屈曲するリング形状をなす連結フランジ部８５が設けられて構成されている。下胴部８２は、円筒形状をなす下胴本体８６の上端部に外周側に屈曲するリング形状をなす連結フランジ部８７が設けられる一方、下端部に外周側に屈曲するリング形状をなす取付フランジ部８８が設けられて構成されている。
【００４０】
そして、上胴部８１と下胴部８２は、各連結フランジ部８５，８７が密着した状態で、複数の連結ボルト８９により連結されている。そして、下部胴８２は、取付フランジ部８８が原子炉容器蓋１３のフランジ部５２の上面に密着して固定可能となっている。また、底板６１の外周部と胴部６２における下部胴８２の取付フランジ部８８は、原子炉容器蓋１３のフランジ部５２を挟持した状態で３者が連結可能となっている。そのため、原子炉容器蓋１３は、フランジ部５２の取付孔５５に対して、上方から下部胴８２の取付フランジ部８８に固定された上連結金具９０が嵌合すると共に、下方から下連結金具９１が嵌合し、上方から取付ボルト９２が上連結金具９０を貫通し、下連結金具９１及び底板６１のねじ穴７１に螺合した状態で、取付ボルト９２がロックナット９３により締結されている。すると、底板６１と原子炉容器蓋１３と部胴６２が一体に連結される。
【００４１】
天板６３は、外径が胴部６２の外径と同寸法に設定されている。天板６３は、外周下面部が上胴部８１の取付フランジ部８４上に載置され、連結ボルト９５により連結されている。
【００４２】
遮へい部材６４は、図１に示すように、胴部６２及び天板６３の内側で原子炉容器蓋１３の蓋本体５１と複数のＣＲＤＭハウジング５６の少なくとも一部を被覆するものである。遮へい部材６４は、内筒１０１と、内周用天板１０２とを有している。内筒１０１は、円筒形状をなし、外径が胴部６２の内径より小さい寸法に設定されている。内筒１０１は、円筒形状をなす円筒本体１０３の下端部に外周側に屈曲するリング形状をなす取付フランジ部１０４が設けられて構成されている。内筒１０１は、図１及び図３に示すように、取付フランジ部１０４が原子炉容器蓋１３の接続金具５４の上面に密着し、スタッドボルト１０５により固定可能となっている。
【００４３】
内周用天板１０２は、図１及び図４、図５に示すように、円板形状をなし、外径が内筒１０１の内径より若干小さい寸法に設定されている。内周用天板１０２は、内筒の上端部に支持される。この内周用天板１０２は、ＣＲＤＭハウジング５６における駆動軸ハウジング５８が貫通して本体ハウジング５７の上端部に係止する複数の貫通孔１０６が複数形成されている。この各貫通孔１０６は、内径が駆動軸ハウジング５８の外径より大きく、本体ハウジング５７の外径より小さい寸法に設定されている。
【００４４】
内周用天板１０２は、各貫通孔１０６の内面側に本体ハウジング５７の上端部に接触してシールする受板（シール部材）１０７が設けられている。受板１０７は、貫通孔１０８が形成され、この貫通孔１０８は、内径が駆動軸ハウジング５８の外径より大きく、本体ハウジング５７の外径より小さく、貫通孔１０６の内径より小さい寸法に設定されている。受板１０７は、貫通孔１０８に駆動軸ハウジング５８が貫通し、内周用天板１０２と本体ハウジング５７の上端部との間に配置される。また、受板１０７と本体ハウジング５７の上端部との間にリング形状をなす緩衝材１０９が介装されている。
【００４５】
内周用天板１０２は、外周部が内筒１０１（胴部６２）に対して底板６１側に押圧支持されている。即ち、遮へい部材６４における内筒１０１は、図５及び図６に示すように、上部に内周用天板１０２の外周上面部を支持する内周用天板支持部材１１１が設けられている。内周用天板支持部材１１１は、内筒１０１の内周部にて、周方向に所定間隔で複数設けられている。内筒１０１は、内周面にリング形状をなす取付フランジ１１２が固定されており、この取付フランジ１１２は、上面部に周方向に所定間隔で複数の支持板１１３が固定されており、各支持板１１３は、上方から押圧ボルト１１４が螺合している。各押圧ボルト１１４は、下端部が内周用天板１０２における外周上面部を押圧しており、ロックナット１１５により締結されている。そのため、複数の押圧ボルト１１４は、下端部が内周用天板１０２の外周上面部を押圧支持し、押圧ボルト１１４を回転して上下させることで、内周用天板１０２に対する押圧力を調整することができる。
【００４６】
ここで、容器６０に複数のＣＲＤＭハウジング５６が固定された使用済の原子炉容器蓋１３を収容する方法について説明する。
【００４７】
図１に示すように、まず、ＣＲＤＭハウジング５６が固定された原子炉容器蓋１３に対して、内周用天板１０２の各貫通孔１０６に駆動軸ハウジング５８を貫通させ、この内周用天板１０２を本体ハウジング５７の上端部に係止させる。このとき、事前に、駆動軸ハウジング５８に緩衝材１０９と受板１０７を貫通させておき、内周用天板１０２と本体ハウジング５７の上端部との間に緩衝材１０９と受板１０７を介装させる。
【００４８】
次に、原子炉容器蓋１３に対して、ＣＲＤＭハウジング５６を外側から覆うように内筒１０１を装着し、取付フランジ部１０４を接続金具５４に密着し、スタッドボルト１０５により内筒１０１を原子炉容器蓋１３に固定する。また、このとき、各押圧ボルト１１４を回転して上下させることで、その位置を調整する。そのため、内周用天板１０２は、外周部が内周用天板支持部材１１１により内筒１０１に対して底板６１側に押圧支持される。
【００４９】
続いて、遮へい部材６４が装着された原子炉容器蓋１３に対して、下方に底板６１を配置し、上方に胴部６２における下胴部８２を配置する。そして、底板６１と原子炉容器蓋１３のフランジ部５２と下胴部８２が密着した状態で、各取付ボルト９２により３者を連結する。その後、下胴部８２の上部に上胴部８１を連結し、上胴部８１の上部に天板６３を連結する。このようにして容器６０内に複数のＣＲＤＭハウジング５６が固定された使用済の原子炉容器蓋１３が収容される。
【００５０】
このように第１実施形態の原子炉容器蓋の容器にあっては、円板形状をなして原子炉容器蓋１３のフランジ部５２が固定される底板６１と、円筒形状をなして下端部にフランジ部５２が固定される胴部６２と、円板形状をなして胴部６２の上端部に固定される天板６３と、胴部６２及び天板６３の内側で原子炉容器蓋１３の蓋本体５１と複数のＣＲＤＭハウジング５６の一部を被覆する遮へい部材６４とを設けている。
【００５１】
従って、使用済の原子炉容器蓋１３は、フランジ部５２の下部に底板６１が固定されると共に、フランジ部５２の上部に胴部６２の下端部が固定され、胴部６２の上端部に天板６３が固定され、更に、胴部６２及び天板６３の内側で原子炉容器蓋１３の蓋本体５１と本体ハウジング５７と制御棒駆動装置用管台５９が遮へい部材６４により被覆される。そのため、放射線遮へい領域となる原子炉容器蓋１３の蓋本体５１と本体ハウジング５７と制御棒駆動装置用管台５９を遮へい部材６４により被覆するため、胴部６２や天板６３の板厚を薄くすることが可能となり、容器６０全体を軽量化することができる。
【００５２】
第１実施形態の原子炉容器蓋の容器では、遮へい部材６４は、内周用天板１０２を有し、内周用天板１０２は、駆動軸ハウジング５８が貫通して本体ハウジング５７の上端部に係止する複数の貫通孔１０６を有している。従って、遮へい部材６４は、内周用天板１０２の各貫通孔１０６に駆動軸ハウジング５８が貫通し、本体ハウジング５７の上端部に係止することで、放射線遮へい領域となる原子炉容器蓋１３の蓋本体５１と各本体ハウジング５７と制御棒駆動装置用管台５９を適正に遮へいすることができる。
【００５３】
第１実施形態の原子炉容器蓋の容器では、内周用天板１０２における貫通孔１０６の内面側に本体ハウジング５７の上端部に接触してシールする受板１０７を設けている。従って、内周用天板１０２における貫通孔１０６の内面と本体ハウジング５７の上端部との間に受板１０７を設けることで、放射線遮へい領域を適正に密閉して遮へいすることができる。
【００５４】
第１実施形態の原子炉容器蓋の容器では、内周用天板１０２の外周部を内筒１０１に対して底板６１側に押圧支持している。従って、内周用天板１０２の外周部を内筒１０１に対して底板６１側に押圧支持することで、内周用天板１０２における貫通孔１０６の内面と本体ハウジング５７の上端部とを密着させることができ、放射線遮へい領域を適正に密閉することができる。
【００５５】
第１実施形態の原子炉容器蓋の容器では、遮へい部材６４は、円筒形状をなして下端部が原子炉容器蓋１３の接続金具５４に固定される内筒１０１と、内筒１０１の上端部に支持される内周用天板１０２とを有している。従って、内筒１０１と内周用天板１０２により放射線遮へい領域となる原子炉容器蓋１３の蓋本体５１と各本体ハウジング５７を適正に遮へいすることができ、遮へい部材６４を内筒１０１と内周用天板１０２とに分割して組付性を向上することができると共に、胴部６２と天板６３における全体の板厚を薄くすることができる。
【００５６】
第１実施形態の原子炉容器蓋の容器では、内筒１０１に内周用天板１０２の外周上面部を支持する内周用天板支持部材１１１を設けている。従って、内筒１０１の内周用天板支持部材１１１が内周用天板１０２の外周上面部を支持することで、内筒１０１により内周用天板１０２が脱落することなく適正に支持することができ、組付性を向上することができる。
【００５７】
［第２実施形態］
図８は、第２実施形態の原子炉容器蓋の容器を表す縦断面図である。なお、上述した実施形態と同様の機能を有する部材には、同一の符号を付して詳細な説明は省略する。
【００５８】
第２実施形態にて、図８に示すように、原子炉容器蓋の容器（以下、容器）１２０は、蓋本体５１に複数のＣＲＤＭハウジング５６が固定された原子炉容器蓋１３を遮へいして収容するものである。この容器１２０は、底板１２１と、胴部１２２と、天板１２３と、遮へい部材１２４とを有している。
【００５９】
底板１２１は、円板形状をなし、上面部に原子炉容器蓋１３が載置され、フランジ部５２の下面が密着して固定可能となっている。胴部１２２は、円筒形状をなし、上胴部１３１と下胴部１３２とが連結されて構成されている。天板１２３は、円板形状をなし、外周下面部が上胴部１３１に連結されている。
【００６０】
遮へい部材１２４は、胴部１２２及び天板１２３の内側で原子炉容器蓋１３の蓋本体５１と複数のＣＲＤＭハウジング５６の少なくとも一部を被覆するものである。遮へい部材１２４は、内周用天板１３３を有しており、ＣＲＤＭハウジング５６における駆動軸ハウジング５８が貫通して本体ハウジング５７の上端部に係止する複数の貫通孔が形成されている。そして、遮へい部材１２４は、内周用天板１３３の各貫通孔に駆動軸ハウジング５８が貫通して本体ハウジング５７の上端部に係止している。遮へい部材１２４は、この状態で、内周用天板１３３の外周部が屈曲して形成されたリング形状をなす取付フランジ部１３４が下胴部１３２の取付フランジ部に固定されている。
【００６１】
ここで、容器１２０に使用済の原子炉容器蓋１３を収容する方法について説明する。まず、ＣＲＤＭハウジング５６が固定された原子炉容器蓋１３に対して、下方に底板１２１を配置し、上方に外部から各ＣＲＤＭハウジング５６を覆うように胴部１２２における下胴部１３２を配置する。そして、底板１２１と原子炉容器蓋１３のフランジ部５２と下胴部１３２が密着した状態で、各取付ボルトにより３者を連結する。次に、遮へい部材１２４における内周用天板１３３の各貫通孔に駆動軸ハウジング５８を貫通させ、本体ハウジング５７の上端部に係止させる。そして、遮へい部材１２４を下胴部１３２に固定する。
【００６２】
続いて、下胴部１３２の上部に上胴部１３１を連結し、上胴部１３１の上部に天板１２３を連結する。このようにして容器１２０内に複数のＣＲＤＭハウジング５６が固定された使用済の原子炉容器蓋１３が収容される。
【００６３】
このように第２実施形態の原子炉容器蓋の容器にあっては、円板形状をなして原子炉容器蓋１３のフランジ部５２が固定される底板１２１と、円筒形状をなして下端部にフランジ部５２が固定される胴部１２２と、円板形状をなして胴部１２２の上端部に固定される天板１２３と、胴部１２２及び天板１２３の内側で原子炉容器蓋１３の蓋本体５１と複数のＣＲＤＭハウジング５６の一部を被覆して胴部１２２に固定される遮へい部材１２４とを設けている。
【００６４】
従って、使用済の原子炉容器蓋１３は、フランジ部５２の下部に底板１２１が固定されると共に、フランジ部５２の上部に胴部１２２の下端部が固定され、胴部１２２の上端部に天板１２３が固定され、更に、原子炉容器蓋１３の蓋本体５１と本体ハウジング５７と制御棒駆動装置用管台５９が遮へい部材１２４により被覆される。そのため、放射線遮へい領域となる原子炉容器蓋１３の蓋本体５１と本体ハウジング５７と制御棒駆動装置用管台５９を遮へい部材１２４により被覆するため、上胴部１３１や天板１２３の板厚を薄くすることが可能となり、容器６０全体を軽量化することができる。また、遮へい部材１２４における内周用天板１３３の外周部を下胴部１３２に固定することで、構造の簡素化と密封性を向上することができる。
【００６５】
［第３実施形態］
図９は、第３実施形態の原子炉容器蓋の容器を表す縦断面図である。なお、上述した実施形態と同様の機能を有する部材には、同一の符号を付して詳細な説明は省略する。
【００６６】
第３実施形態にて、図９に示すように、原子炉容器蓋の容器（以下、容器）１４０は、蓋本体５１に複数のＣＲＤＭハウジング５６が固定された原子炉容器蓋１３を遮へいして収容するものである。この容器１４０は、底板１４１と、胴部１４２と、天板１４３と、遮へい部材１４４とを有している。
【００６７】
底板１４１は、円板形状をなし、上面部に原子炉容器蓋１３が載置され、フランジ部５２の下面が密着して固定可能となっている。胴部１４２は、円筒形状をなし、上胴部１５１と下胴部１５２とが連結されて構成されている。天板１４３は、円板形状をなし、外周下面部が上胴部１５１に連結されている。
【００６８】
遮へい部材１４４は、胴部１４２及び天板１４３の内側で原子炉容器蓋１３の蓋本体５１と複数のＣＲＤＭハウジング５６の少なくとも一部を被覆するものである。遮へい部材１４４は、内周用天板１５３を有しており、ＣＲＤＭハウジング５６における駆動軸ハウジング５８が貫通して本体ハウジング５７の上端部に係止する複数の貫通孔が形成されている。そして、遮へい部材１４４は、内周用天板１５３の各貫通孔に駆動軸ハウジング５８が貫通して本体ハウジング５７の上端部に係止している。遮へい部材１４４は、この状態で、内周用天板１５３の外周部が屈曲して形成されたリング形状をなす取付フランジ部１５４が下胴部１５２の取付フランジ部に固定されている。
【００６９】
また、遮へい部材１４４は、複数のＣＲＤＭハウジング５６における本体ハウジング５７と制御棒駆動装置用管台５９を個別に被覆する複数の円筒部材１５５を有している。この円筒部材１５５は、内径が本体ハウジング５７の外径より若干大きい寸法に設定されている。円筒部材１５５は、上端部が遮へい部材１４４における内周用天板１５３の下面に密着し、下端部が原子炉容器蓋１３における蓋本体５１の上面に密着している。
【００７０】
ここで、容器１４０に使用済の原子炉容器蓋１３を収容する方法について説明する。まず、ＣＲＤＭハウジング５６が固定された原子炉容器蓋１３に対して、下方に底板１４１を配置し、上方に外部から各ＣＲＤＭハウジング５６を覆うように胴部１４２における下胴部１５２を配置する。そして、底板１４１と原子炉容器蓋１３のフランジ部５２と下胴部１５２が密着した状態で、各取付ボルトにより３者を連結する。次に、各ＣＲＤＭハウジング５６に対して上方から円筒部材１５５を挿通することで、この円筒部材１５５により本体ハウジング５７と制御棒駆動装置用管台５９を個別に被覆する。
【００７１】
そして、遮へい部材１４４における内周用天板１５３の各貫通孔に駆動軸ハウジング５８を貫通させ、本体ハウジング５７の上端部に係止させる。その後、遮へい部材１４４を下胴部１５２に固定する。続いて、下胴部１５２の上部に上胴部１５１を連結し、上胴部１５１の上部に天板１４３を連結する。このようにして容器１４０内に複数のＣＲＤＭハウジング５６が固定された使用済の原子炉容器蓋１３が収容される。
【００７２】
このように第３実施形態の原子炉容器蓋の容器にあっては、円板形状をなして原子炉容器蓋１３のフランジ部５２が固定される底板１４１と、円筒形状をなして下端部にフランジ部５２が固定される胴部１４２と、円板形状をなして胴部１４２の上端部に固定される天板１４３と、胴部１４２及び天板１４３の内側で原子炉容器蓋１３の蓋本体５１と複数のＣＲＤＭハウジング５６の一部を被覆して胴部１４２に固定される遮へい部材１４４とを設け、遮へい部材１４４として、複数のＣＲＤＭハウジング５６を個別に被覆する複数の円筒部材１５５を設けている。
【００７３】
従って、使用済の原子炉容器蓋１３は、フランジ部５２の下部に底板１４１が固定されると共に、フランジ部５２の上部に胴部１４２の下端部が固定され、胴部１４２の上端部に天板１４３が固定され、更に、原子炉容器蓋１３の蓋本体５１と本体ハウジング５７と制御棒駆動装置用管台５９が遮へい部材１４４により被覆される。そのため、放射線遮へい領域となる原子炉容器蓋１３の蓋本体５１と本体ハウジング５７と制御棒駆動装置用管台５９を遮へい部材１４４により被覆するため、上胴部１５１や天板１４３の板厚を薄くすることが可能となり、容器１４０全体を軽量化することができる。また、従って、複数の円筒部材１５５により本体ハウジング５７と制御棒駆動装置用管台５９を個別に被覆することで、放射線遮へい効果を高めることができる。
【００７４】
なお、上述した第２、第３実施形態にて、底板１２１，１４１、胴部１２２，１４２、天板１２３，１４３、遮へい部材１２４，１４４を詳細に説明していないが、基本的な構成は、第１実施形態と同様であり、第１実施形態の構成を適用してもよいものである。
【００７５】
また、上述した実施形態にて、遮へい部材により本体ハウジング５７と制御棒駆動装置用管台５９を遮へいしたが、駆動軸ハウジング５８を被覆して遮へいしてもよい。
【符号の説明】
【００７６】
１０  加圧水型原子炉
１１  原子炉容器
１２  原子炉容器本体
１３  原子炉容器蓋
５１  蓋本体（球面部）
５２  フランジ部
５３  吊り金具
５４  接続金具
５５  取付穴
５６  ＣＲＤＭハウジング
５７  本体ハウジング
５８  駆動軸ハウジング
５９  制御棒駆動装置用管台
６０，１２０，１４０  容器
６１，１２１，１４１  底板
６２，１２２，１４２  胴部
６３，１２３，１４３  天板
６４，１２４，１４４  遮へい部材
８１，１３１，１５１  上胴部
８２，１３２，１５２  下胴部
８３  上胴本体
８４，８８  取付フランジ部
８５，８７  連結フランジ部
８６  下胴本体
８９  連結ボルト
９０  上連結金具
９１  下連結金具
９２  取付ボルト
９３  ロックナット
９５  連結ボルト
１０１  内筒
１０２，１３３，１５３  内周用天板
１０３  円筒本体
１０４  取付フランジ部
１０５  スタッドボルト
１０６  貫通孔
１０７  受板（シール部材）
１０８  貫通孔
１０９  緩衝材
１１１  内周用天板支持部材
１１２  取付フランジ
１１３  支持板
１１４  押圧ボルト
１１５  ロックナット
１５５  円筒部材
【図１】
2016173325.tif 000003
【図２】
2016173325.tif 000004
【図３】
2016173325.tif 000005
【図４】
2016173325.tif 000006
【図５】
2016173325.tif 000007
【図６】
2016173325.tif 000008
【図７】
2016173325.tif 000009
【図８】
2016173325.tif 000010
【図９】
2016173325.tif 000011